【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
パケットの送信を待機させる待機時間を設定する設定手段と、
リンク接続を検知する検知手段と、
前記リンク接続を検知してからの経過時間を計時する計時手段と、
前記経過時間が前記待機時間に到達した後に、パケット送信を実行する送信手段とを備え、
前記リンク接続を検知してから前記経過時間が前記待機時間に到達するまでの間、前記パケット送信は実行されないことを特徴とする情報処理装置。
【請求項２】
ＳＬＰパケットを送信する情報処理装置であって、
パケットの送信を待機させる待機時間を設定する設定手段と、
リンク接続を検知する検知手段と、
前記リンク接続を検知してからの経過時間を計時する計時手段と、
前記経過時間が前記待機時間に到達した後に、前記ＳＬＰパケットを送信する送信手段とを備え、
前記リンク接続を検知してから前記経過時間が前記待機時間に到達するまでの間、前記ＳＬＰパケットは送信されないことを特徴とする情報処理装置。
【請求項３】
前記リンク接続を検知してから前記経過時間が前記待機時間に到達するまでの間、Ｇ−ＡＲＰパケットが送信され、
少なくとも前記経過時間が前記待機時間に到達した後に、前記Ｇ−ＡＲＰパケットが再度送信されることを特徴とする請求項２に記載の情報処理装置。
【請求項４】
パケットの送信を待機させる待機時間を設定する設定手段と、
リンク接続を検知する検知手段と、
前記リンク接続を検知してからの経過時間を計時する計時手段と、
前記経過時間が前記待機時間に到達した後に、第１タイプのパケットを送信する送信手段とを備え、
前記リンク接続を検知してから前記経過時間が前記待機時間に到達するまでの間、前記第１タイプのパケットとは異なる第２タイプのパケットは送信され、
前記リンク接続を検知してから前記経過時間が前記待機時間に到達するまでの間、前記第１タイプのパケットは送信されないことを特徴とする情報処理装置。
【請求項５】
少なくとも前記経過時間が前記待機時間に到達した後に、前記第２タイプのパケットが再度送信されることを特徴とする請求項４に記載の情報処理装置。
【請求項６】
前記第１タイプのパケットは、ＳＬＰパケットであることを特徴とする請求項４又は５に記載の情報処理装置。
【請求項７】
前記第２タイプのパケットは、Ｇ−ＡＲＰパケットであることを特徴とする請求項４乃至６のいずれか１項に記載の情報処理装置。
【請求項８】
前記待機時間をユーザが指定するための設定画面を表示する表示手段を更に備えることを特徴とする請求項１乃至７のいずれか１項に記載の情報処理装置。
【請求項９】
前記情報処理装置が第１の電力モードで動作する場合の通信速度と、前記情報処理装置が当該第１の電力モードよりも消費電力が少ない第２の電力モードで動作する場合の通信速度は異なり、
前記検知手段が検知する前記リンク接続は、前記情報処理装置が前記第１の電力モードから前記第２の電力モードに移行する際に発生するリンク接続であることを特徴とする請求項１乃至８のいずれか１項に記載の情報処理装置。
【請求項１０】
前記情報処理装置が第１の電力モードで動作する場合の通信速度と、前記情報処理装置が当該第１の電力モードよりも消費電力が少ない第２の電力モードで動作する場合の通信速度は異なり、
前記検知手段が検知する前記リンク接続は、前記情報処理装置が前記第２の電力モードから前記第１の電力モードに移行する際に発生するリンク接続であることを特徴とする請求項１乃至８のいずれか１項に記載の情報処理装置。
【請求項１１】
前記情報処理装置が第１の電力モードで動作する場合の通信速度と、前記情報処理装置が当該第１の電力モードよりも消費電力が少ない第２の電力モードで動作する場合の通信速度は異なり、
前記検知手段が検知する前記リンク接続は、前記情報処理装置が前記第１の電力モードから前記第２の電力モードに移行する際に発生するリンク接続と、前記情報処理装置が前記第２の電力モードから前記第１の電力モードに移行する際に発生するリンク接続とであることを特徴とする請求項１乃至８のいずれか１項に記載の情報処理装置。
【請求項１２】
前記情報処理装置は印刷装置であることを特徴とする請求項１乃至１１のいずれか１項に記載の情報処理装置。
【請求項１３】
情報処理装置の制御方法であって、
設定手段が、パケットの送信を待機させる待機時間を設定する設定ステップと、
検知手段が、リンク接続を検知する検知ステップと、
計時手段が、前記リンク接続を検知してからの経過時間を計時する計時ステップと、
送信手段が、前記経過時間が前記待機時間に到達した後に、パケット送信を実行する送信ステップとを有し、
前記リンク接続を検知してから前記経過時間が前記待機時間に到達するまでの間、前記パケット送信は実行されないことを特徴とする情報処理装置の制御方法。
【請求項１４】
ＳＬＰパケットを送信する情報処理装置の制御方法であって、
設定手段が、パケットの送信を待機させる待機時間を設定する設定ステップと、
検知手段が、リンク接続を検知する検知ステップと、
計時手段が、前記リンク接続を検知してからの経過時間を計時する計時ステップと、
送信手段が、前記経過時間が前記待機時間に到達した後に、前記ＳＬＰパケットを送信する送信ステップとを有し、
前記リンク接続を検知してから前記経過時間が前記待機時間に到達するまでの間、前記ＳＬＰパケットは送信されないことを特徴とする情報処理装置の制御方法。
【請求項１５】
情報処理装置の制御方法であって、
設定手段が、パケットの送信を待機させる待機時間を設定する設定ステップと、
検知手段が、リンク接続を検知する検知ステップと、
計時手段が、前記リンク接続を検知してからの経過時間を計時する計時ステップと、
送信手段が、前記経過時間が前記待機時間に到達した後に、第１タイプのパケットを送信する送信ステップとを有し、
前記リンク接続を検知してから前記経過時間が前記待機時間に到達するまでの間、前記第１タイプのパケットとは異なる第２タイプのパケットは送信され、
前記リンク接続を検知してから前記経過時間が前記待機時間に到達するまでの間、前記第１タイプのパケットは送信されないことを特徴とする情報処理装置の制御方法。
【請求項１６】
請求項１３乃至１５のいずれか１項に記載の情報処理装置の制御方法をコンピュータに実行させるためのプログラム。
【手続補正２】
【補正対象書類名】明細書
【補正対象項目名】０００７
【補正方法】変更
【補正の内容】
【０００７】
本発明は、情報処理装置であって、パケットの送信を待機させる待機時間を設定する設定手段と、リンク接続を検知する検知手段と、前記リンク接続を検知してからの経過時間を計時する計時手段と、前記経過時間が前記待機時間に到達した後に、パケット送信を実行する送信手段とを備え、前記リンク接続を検知してから前記経過時間が前記待機時間に到達するまでの間、前記パケット送信は実行されないことを特徴とする。
また、本発明は、ＳＬＰパケットを送信する情報処理装置であって、パケットの送信を待機させる待機時間を設定する設定手段と、リンク接続を検知する検知手段と、前記リンク接続を検知してからの経過時間を計時する計時手段と、前記経過時間が前記待機時間に到達した後に、前記ＳＬＰパケットを送信する送信手段とを備え、前記リンク接続を検知してから前記経過時間が前記待機時間に到達するまでの間、前記ＳＬＰパケットは送信されないことを特徴とする。
また、本発明は、パケットの送信を待機させる待機時間を設定する設定手段と、リンク接続を検知する検知手段と、前記リンク接続を検知してからの経過時間を計時する計時手段と、前記経過時間が前記待機時間に到達した後に、第１タイプのパケットを送信する送信手段とを備え、前記リンク接続を検知してから前記経過時間が前記待機時間に到達するまでの間、前記第１タイプのパケットとは異なる第２タイプのパケットは送信され、前記リンク接続を検知してから前記経過時間が前記待機時間に到達するまでの間、前記第１タイプのパケットは送信されないことを特徴とする。